(57)【要約】      （修正有）【課題】HSDPA処理時又はHSUPA処理時においても、効率的に逆拡散処理回路を使用して逆拡散処理を行う無線基地局装置を提供する。【解決手段】無線基地局装置は、第１の制御チャネル（ＤＰＣＣＨ）の信号を逆拡散処理する第１の逆拡散処理回路と、第２の制御チャネルの信号（ＨＳ−ＤＰＣＣＨ）又は第３の制御チャネル（Ｅ−ＤＰＣＣＨ）の信号を逆拡散処理する第２の逆拡散処理回路と、第１の制御チャネルの信号及び第２の制御チャネルの信号及び第３の制御チャネルの信号を逆拡散処理することができる第３の逆拡散処理回路と、第１の逆拡散処理回路及び第２の逆拡散処理回路に共通のスクランブリングコードを供給する第１のスクランブリングコード生成回路と、第３の逆拡散処理回路に第１のスクランブリングコード生成回路が生成するスクランブリングコードと異なるスクランブリングコードを供給する第２のスクランブリングコード生成回路とを備える。【選択図】図４
2008035139.tif 000002
【特許請求の範囲】
【請求項１】
受信信号を逆拡散処理して復調する無線基地局装置において、
第１の制御チャネルの信号を逆拡散処理する第１の逆拡散処理回路と、
第２の制御チャネルの信号又は第３の制御チャネルの信号を逆拡散処理する第２の逆拡散処理回路と、
前記第１の制御チャネルの信号及び前記第２の制御チャネルの信号及び前記第３の制御チャネルの信号を逆拡散処理することができる第３の逆拡散処理回路と、
前記第１の逆拡散処理回路及び前記第２の逆拡散処理回路に共通のスクランブリングコードを供給する第１のスクランブリングコード生成回路と、
前記第３の逆拡散処理回路に前記第１のスクランブリングコード生成回路が生成するスクランブリングコードと異なるスクランブリングコードを供給する第２のスクランブリングコード生成回路とを備えることを特徴とする無線基地局装置。
【請求項２】
請求項１において、
前記第１のチャネルの信号及び前記第２のチャネルの信号を受信する場合、前記第２の逆拡散処理回路は、前記第２の制御チャネルの信号を逆拡散処理し、
前記第３の逆拡散処理回路は、前記第１の制御チャネルの信号及び前記第２の制御チャネルの信号を逆拡散処理することを特徴とする無線基地局装置。
【請求項３】
請求項２において、
前記第３の逆拡散処理回路は、前記第１の制御チャネルの信号及び前記第２の制御チャネルの信号を時分割で処理し、前記第３の逆拡散処理回路が前記第１の制御チャネルの信号を処理している間、前記第１の制御チャネルに対応するチャネライゼイションコードが前記第３の逆拡散処理回路に供給され、前記第２の制御チャネルの信号を処理している間、前記第２の制御チャネルに対応するチャネライゼイションコードが前記第３の逆拡散処理回路に供給されることを特徴とする無線基地局装置。
【請求項４】
請求項２において、
前記第１の制御チャネルの信号及び前記第３の制御チャネルの信号を受信する場合、前記第２の逆拡散処理回路は、前記第３の制御チャネルの信号を逆拡散処理し、
前記第３の逆拡散処理回路は、前記第１の制御チャネルの信号及び前記第３の制御チャネルの信号を逆拡散処理することを特徴とする無線基地局装置。
【請求項５】
請求項４において、
前記第３の逆拡散処理回路は、前記第１の制御チャネルの信号及び前記第３の制御チャネルの信号を時分割で処理し、前記第３の逆拡散処理回路が前記第１の制御チャネルの信号を処理している間、前記第１の制御チャネルに対応するチャネライゼイションコードが前記第３の逆拡散処理回路に供給され、前記第３の制御チャネルの信号を処理している間、前記第３の制御チャネルに対応するチャネライゼイションコードが前記第３の逆拡散処理回路に供給されることを特徴とする無線基地局装置。
【請求項６】
請求項４において、
前記第１の制御チャネルの信号及び前記第２の制御チャネルの信号及び前記第３の制御チャネルの信号を受信する場合、前記第２の逆拡散処理回路は、前記第２の制御チャネルの信号を逆拡散処理し、
前記第３の逆拡散処理回路は、前記第３の制御チャネルの信号を逆拡散処理することを特徴とする無線基地局装置。
【請求項７】
請求項６において、
前記第２のスクランブリングコード生成回路は、前記第１のスクランブリングコード生成回路が供給するスクランブリングコードと同一のスクランブリングコードを前記第３の逆拡散回路に供給することを特徴とする無線基地局装置。
【請求項８】
請求項１において、
前記第１の制御チャネルはＤＰＣＣＨであり、前記第２の制御チャネルは、ＨＳ−ＤＰＣＣＨであり、前記第３の制御チャネルはＥ−ＤＰＣＣＨであり、ＨＳＤＰＡ処理の場合、前記第１の制御チャネルの信号及び前記第２の制御チャネルの信号を受信し、ＨＳＵＰＡ処理の場合、前記第１の制御チャネルの信号及び前記第３の制御チャネルの信号を受信し、ＨＳＤＰＡ及びＨＳＵＰＡの両方を処理する場合、前記第１の制御チャネルの信号及び前記第２の制御チャネル及び前記第３の制御チャネルの信号を受信することを特徴とする無線基地局装置。
【請求項９】
受信された無線信号を逆拡散処理する逆拡散処理装置において、
第１の制御チャネルの信号を逆拡散処理する第１の逆拡散処理回路と、
第２の制御チャネルの信号又は第３の制御チャネルの信号を逆拡散処理する第２の逆拡散処理回路と、
前記第１の制御チャネルの信号、前記第２の制御チャネルの信号及び前記第３の制御チャネルの信号を逆拡散処理することができる第３の逆拡散処理回路と、
前記第１の逆拡散処理回路及び前記第２の逆拡散処理回路に共通のスクランブリングコードを供給する第１のスクランブリングコード生成回路と、
前記第３の逆拡散処理回路に前記第１のスクランブリングコード生成回路が生成するスクランブリングコードと異なるスクランブリングコードを供給する第２のスクランブリングコード生成回路とを備えることを特徴とする逆拡散処理装置。
【発明の詳細な説明】
【技術分野】
【０００１】
本発明は、HSDPA (High Speed Downlink Packet Access)及びHSUPA (High Speed Uplink Packet Access)方式を採用した無線通信システムにおける無線基地局装置及びその逆拡散処理装置に関する。
【背景技術】
【０００２】
UMTS(Universal Mobile Telecommunication System)におけるHSDPA(High Speed Downlink Packet Access)は、下り(downlink)のピーク伝送速度の高速化、低伝送遅延などを目的として、例えば、W-CDMAのような第三世代（３Ｇ）の無線通信システムのデータ通信をさらに高速化した規格であり、３Ｇ方式の標準化団体3GPP(3rd Generation Partnership Project)の発行した「Release 5」規格で標準化されている。
【０００３】
HSDPAは、（１）一つの物理チャネルを複数の移動機（UE）で時間分割により共有して使用する、（２）電波の状態に応じてより高速な変調方式や符号化方式を自動的に選択する、（３）再送制御(ARQ)と訂正符号化処理を組み合わせたハイブリッドARQを採用するなどの特徴を有する。
【０００４】
一方、HSUPA (High Speed Uplink Packet Access)は、W-CDMAの上り(Uplink)のデータ通信速度を高速化する規格であり、下りの通信速度を高速化するHSDPAを補完する技術となる。３Ｇ方式の標準化団体3GPP(3rd Generation Partnership Project)の発行した「Release6」規格で標準化されている。
【０００５】
3GPPの「Release6」によれば、下記表１に示すように、HSDPAを処理するのに必要な制御チャネルは、DPCCH (Dedicated Physical Control Channel)とHS-DPCCH  (High-Speed Dedicated Physical Control Channel)であり、HSUPAを処理するのに必要な制御チャネルは、DPCCHとE-DPCCH (Enhanced Dedicated Physical Control Channel)であり、HSDPAとHSUPAの両方を処理するのに必要な制御チャネルは、DPCCH、HS-DPCCH及びE-DPCCHである。
【０００６】
【表１】
2008035139.tif 000003
図１は、無線基地局装置における従来の制御チャネルの逆拡散処理部の構成を示す図である。W-CDMAでは、送信情報データ系列を情報データのシンボルレートに比較して高速レートの拡散符号で広帯域の信号に拡散して伝送する。受信側では、送信側で拡散に用いた拡散符号と同じ拡散符号を用いて相関検出を行うことにより（この過程は逆拡散と呼ばれる）、送信情報データ系列を再生する。UE毎に固有の拡散符号が割り当てられ、UEの識別はこの拡散符号によって行われる。拡散符号は、物理チャネルを識別するためのチャネライゼイションコード (Channelization Code)と各UEを識別するためのスクランブリングコード (Scrambling Code)の２種類を組み合わせて構成される。
【０００７】
図１において、無線基地局装置の逆拡散処理部１０は複数（図１では３個）の逆拡散処理回路１４Ａ、１４Ｂ及び１４Ｃを備え、インプットバッファ１２から各逆拡散処理回路１４Ａ、１４Ｂ及び１４Ｃに受信データが供給される。各逆拡散処理回路１４Ａ、１４Ｂ及び１４Ｃにより逆拡散処理された信号は、それぞれ各逆拡散処理回路１４Ａ、１４Ｂ及び１４Ｃに対応する複数のアウトプットバッファ１６Ａ、１６Ｂ及び１６Ｃに一時格納されて、出力される。スクランブリングコード生成回路１８は、後述するように、各逆拡散処理回路１４Ａ、１４Ｂ及び１４Ｃに共通のスクランブリングコードを供給する。
【０００８】
チップレート3.84Mbpsの場合、例えば、各逆拡散処理回路１４は、3.84Mbps×64=245.76MHzで動作し、64のリソース数を時分割処理することができる。ここで、リソース数は、逆拡散処理回路の処理単位であって、フィンガを考慮したチャネル数である。フィンガは、マルチパスにおける各パス毎の信号を時間と位相をそろえて複数のパスを合成するレイク(RAKE)受信する場合のその合成するパスの数であって、１つのチャネルに対して３フィンガの場合は、３リソース数となる。１つのチャネルに対して１フィンガの場合は、１リソース数となる。
【０００９】
各逆拡散処理回路１４Ａ、１４Ｂ及び１４Ｃで処理するリソース数の合計が、逆換算処理部１０全体での処理可能リソース数Nとなる。図１の例では、処理可能リソース数Ｎは６４×３＝１９２となる。
【００１０】
図２は、従来の逆拡散処理回路におけるチャネル割当を説明する図である。逆拡散処理回路１４Ａ、１４Ｂ及び１４Ｃは、制御チャネルの種類毎に設けられ、図示されるように、逆拡散処理回路１４ＡはDPCCH専用に使用され、逆拡散処理回路１４ＢはHS-DPCCH処理に使用され、逆拡散処理回路１４ＣはE-DPCCH専用に使用される。
【００１１】
逆拡散処理回路１４ＡにDPCCHに対応するチャネライゼイションコードのみを供給する（実際は、スクランブリングコードと多重されて供給される）ことで、逆拡散処理回路１４ＡをDPCCH処理専用回路とすることができる。同様に、逆拡散処理回路１４ＢにHS-DPCCHに対応するチャネライゼイションコードのみを供給し、逆拡散処理回路１４CにE-DPCCHに対応するチャネライゼイションコードのみを供給することによって、それぞれHS-DPCCH処理専用回路及びE-DPCCH処理専用回路とすることができる。
【００１２】
また、逆拡散処理部１０の処理可能リソース数がＮの場合、リソース数Ｎは制御チャネル毎の逆拡散処理回路１４Ａ、１４Ｂ及び１４Ｃに均等に割り当てられ、それぞれのリソース数はＮ／３である。
【００１３】
HSDPAを処理する場合、DPCCH用逆拡散処理回路１４ＡとHS-DPCCH用逆拡散処理回路１４Ｂとが用いられる。このとき、一つのUEに固有のスクランブリングコードが与えられているため、一つの移動機UE（すなわちユーザ）に対して、DPCCH用逆拡散処理回路１４ＡとHS-DPCCH用逆拡散処理回路１４Ｂは共通のスクランブリングコードを使用する。
【００１４】
また、HSUPAを処理する場合、DPCCH用逆拡散処理回路１４ＡとE-DPCCH用逆拡散処理回路１４Ｃとが用いられる。上述したように、一つのUEに対して一つのスクランブリングコードが与えられているため、DPCCH用逆拡散処理回路１４ＡとE-DPCCH用逆拡散処理回路１４Ｃは、一つの移動機UE（すなわちユーザ）に対して共通のスクランブリングコードを使用する。
【００１５】
さらに、HSDPAとHSUPAの両方を処理する場合、DPCCH用逆拡散処理回路１４ＡとHS-DPCCH用逆拡散処理回路１４ＢとE-DPCCH用逆拡散処理回路１４Ｃの全てが用いられる。そして、DPCCH用逆拡散処理回路１４ＡとHS-DPCCH用逆拡散処理回路１４ＢとE-DPCCH用逆拡散処理回路１４Ｃは、一つの移動機UE（すなわちユーザ）に対して共通のスクランブリングコードを使用する。
【００１６】
すなわち、Ｎ／３リソース数分処理する各逆拡散処理回路１４Ａ、１４Ｂ及び１４Ｃに対して、Ｎ／３個の共通のスクランブリングコードを生成する一つのスクランブリングコード生成回路１８を設ければよく、図１に例示するように、スクランブリング生成回路１８は、各逆拡散処理回路１４の処理に同期して、各逆拡散処理回路１４のリソース数（Ｎ／３＝６４）と同じ数のスクランブリングコードを時分割で出力する。
【００１７】
なお、チャネライゼイションコード生成回路の図示は省略されているが、実際は、チャネライゼイションコードとスクランブリングコードが多重されて各逆拡散処理回路に供給される。チャネライゼイションコード生成回路は、制御チャネルの種類毎に設けられている。
【００１８】
下記特許文献１は、レイク合成におけるフィンガ割当用パステーブルを各チャネルの特性に合わせて別々に設定し、各チャネルで独立にフィンガ割当を行って、レイク合成を行い、受信された無線信号を復調する無線受信装置について開示している。
【特許文献１】特開２００５−１３０２４６号公報
【発明の開示】
【発明が解決しようとする課題】
【００１９】
上記図１の構成において、HSDPAとHSUPAの両方を処理する場合は、すべての逆拡散処理回路１４Ａ、１４Ｂ、１４Ｃが用いられるが、HSDPA処理時は、E-DPCCH用逆拡散処理回路１４Ｃが用いられず、HSUPA処理時は、HS-DPCCH用逆拡散処理回路１４Ｂが用いられないこととなり、用いられない逆拡散処理回路のリソース数分の処理能力が無駄となり、逆拡散処理回路の使用効率が低くなる。
【００２０】
そこで、本発明の目的は、HSDPA処理時又はHSUPA処理時においても、効率的に逆拡散処理回路を使用して逆拡散処理を行う無線基地局装置及びその逆拡散処理装置を提供することである。
【課題を解決するための手段】
【００２１】
上記目的を達成するための本発明の無線基地局装置の第１の構成は、受信信号を逆拡散処理して復調する無線基地局装置において、第１の制御チャネルの信号を逆拡散処理する第１の逆拡散処理回路と、第２の制御チャネルの信号又は第３の制御チャネルの信号を逆拡散処理する第２の逆拡散処理回路と、前記第１の制御チャネルの信号及び前記第２の制御チャネルの信号及び前記第３の制御チャネルの信号を逆拡散処理することができる第３の逆拡散処理回路と、前記第１の逆拡散処理回路及び前記第２の逆拡散処理回路に共通のスクランブリングコードを供給する第１のスクランブリングコード生成回路と、前記第３の逆拡散処理回路に前記第１のスクランブリングコード生成回路が生成するスクランブリングコードと異なるスクランブリングコードを供給する第２のスクランブリングコード生成回路とを備えることを特徴とする。
【００２２】
本発明の無線基地局装置の第２の構成は、上記第１の構成において、前記第１のチャネルの信号及び前記第２のチャネルの信号を受信する場合、前記第２の逆拡散処理回路は、前記第２の制御チャネルの信号を逆拡散処理し、前記第３の逆拡散処理回路は、前記第１の制御チャネルの信号及び前記第２の制御チャネルの信号を逆拡散処理することを特徴とする。
【００２３】
本発明の無線基地局装置の第３の構成は、上記第２の構成において、前記第３の逆拡散処理回路は、前記第１の制御チャネルの信号及び前記第２の制御チャネルの信号を時分割で処理し、前記第３の逆拡散処理回路が前記第１の制御チャネルの信号を処理している間、前記第１の制御チャネルに対応するチャネライゼイションコードが前記第３の逆拡散処理回路に供給され、前記第２の制御チャネルの信号を処理している間、前記第２の制御チャネルに対応するチャネライゼイションコードが前記第３の逆拡散処理回路に供給されることを特徴とする。
【００２４】
本発明の無線基地局装置の第４の構成は、上記第２の構成において、前記第１の制御チャネルの信号及び前記第３の制御チャネルの信号を受信する場合、前記第２の逆拡散処理回路は、前記第３の制御チャネルの信号を逆拡散処理し、前記第３の逆拡散処理回路は、前記第１の制御チャネルの信号及び前記第３の制御チャネルの信号を逆拡散処理することを特徴とする。
【００２５】
本発明の無線基地局装置の第５の構成は、上記第４の構成において、前記第３の逆拡散処理回路は、前記第１の制御チャネルの信号及び前記第３の制御チャネルの信号を時分割で処理し、前記第３の逆拡散処理回路が前記第１の制御チャネルの信号を処理している間、前記第１の制御チャネルに対応するチャネライゼイションコードが前記第３の逆拡散処理回路に供給され、前記第３の制御チャネルの信号を処理している間、前記第３の制御チャネルに対応するチャネライゼイションコードが前記第３の逆拡散処理回路に供給されることを特徴とする。
【００２６】
本発明の無線基地局装置の第６の構成は、上記第４の構成において、前記第１の制御チャネルの信号及び前記第２の制御チャネルの信号及び前記第３の制御チャネルの信号を受信する場合、前記第２の逆拡散処理回路は、前記第２の制御チャネルの信号を逆拡散処理し、前記第３の逆拡散処理回路は、前記第３の制御チャネルの信号を逆拡散処理することを特徴とする。
【００２７】
本発明の無線基地局装置の第７の構成は、上記第６の構成において、前記第２のスクランブリングコード生成回路は、前記第１のスクランブリングコード生成回路が供給するスクランブリングコードと同一のスクランブリングコードを前記第３の逆拡散回路に供給することを特徴とする。
【００２８】
本発明の無線基地局装置の第８の構成は、上記第１乃至第７の構成のいずれかにおいて、前記第１の制御チャネルはＤＰＣＣＨであり、前記第２の制御チャネルは、ＨＳ−ＤＰＣＣＨであり、前記第３の制御チャネルはＥ−ＤＰＣＣＨであり、ＨＳＤＰＡ処理の場合、前記第１の制御チャネルの信号及び前記第２の制御チャネルの信号を受信し、ＨＳＵＰＡ処理の場合、前記第１の制御チャネルの信号及び前記第３の制御チャネルの信号を受信し、ＨＳＤＰＡ及びＨＳＵＰＡの両方を処理する場合、前記第１の制御チャネルの信号及び前記第２の制御チャネル及び前記第３の制御チャネルの信号を受信することを特徴とする。
【００２９】
本発明の逆拡散処理装置は、受信された無線信号を逆拡散処理する逆拡散処理装置において、第１の制御チャネルの信号を逆拡散処理する第１の逆拡散処理回路と、第２の制御チャネルの信号又は第３の制御チャネルの信号を逆拡散処理する第２の逆拡散処理回路と、  前記第１の制御チャネルの信号、前記第２の制御チャネルの信号及び前記第３の制御チャネルの信号を逆拡散処理することができる第３の逆拡散処理回路と、前記第１の逆拡散処理回路及び前記第２の逆拡散処理回路に共通のスクランブリングコードを供給する第１のスクランブリングコード生成回路と、前記第３の逆拡散処理回路に前記第１のスクランブリングコード生成回路が生成するスクランブリングコードと異なるスクランブリングコードを供給する第２のスクランブリングコード生成回路とを備えることを特徴とする。
【発明の効果】
【００３０】
本発明によれば、第３の逆拡散処理回路に別のスクランブリングコード生成回路からスクランブリングコードを供給可能に構成することで、第１乃至第３の逆拡散処理回路すべてを制御チャネルの逆拡散処理のために動作させることができ、処理効率が向上する。
【００３１】
特に、（１）第１の制御チャネル（ＤＰＣＣＨ）及び第２の制御チャネル（ＨＳ−ＤＰＣＣＨ）の信号を受信し、第３の制御チャネル（Ｅ−ＤＰＣＣＨ）の信号を受信しない場合、又は（２）第１の制御チャネル（ＤＰＣＣＨ）及び第３の制御チャネル（Ｅ−ＤＰＣＣＨ）の信号を受信し、第２の制御チャネル（ＨＳ−ＤＰＣＣＨ）の信号を受信しない場合であっても、第１乃至第３の逆拡散処理回路すべてのリソース数が使用されるので、処理効率が向上する。
【発明を実施するための最良の形態】
【００３２】
以下、図面を参照して本発明の実施の形態について説明する。しかしながら、かかる実施の形態例が、本発明の技術的範囲を限定するものではない。
【００３３】
図３は、本発明の実施の形態における無線基地局装置の逆拡散処理部１０の構成を示す図である。図１と同様に、無線基地局装置の逆拡散処理部１０は複数（図３では３個）の逆拡散処理回路１４Ａ、１４Ｂ、１４Ｃを備え、インプットバッファ１２から各逆拡散処理回路１４に受信データが供給される。各逆拡散処理回路１４により逆拡散処理された信号は、それぞれ各逆拡散処理回路１４に対応する複数のアウトプットバッファ１６に一時格納されて、出力される。
【００３４】
図１と比較して、本発明に特徴的な構成は、スクランブリングコード生成回路１８は、逆拡散処理回路１４Ａ及び１４Ｂに共通のスクランブリングコードを供給し、逆拡散回路１４Ｃには、別のスクランブリングコード生成回路１９がスクランブリングコードを供給する。後述するように、別のスクランブリングコード生成回路１９が供給するスクランブリングコードは、スクランブリングコード生成回路１８が供給するスクランブリングコードと同一の場合もあるし、別の場合もある。
【００３５】
スクランブリングコード生成回路１８の出力するスクランブリングコードと別のスクランブリングコードを出力することができる別のスクランブリングコード生成回路１９を新たに設けることで、以下に説明するように、HSDPA単独処理時又はHSUPA単独処理時においても、効率的に逆拡散処理回路を使用することができるようになる。
【００３６】
図４は、本発明の実施の形態における逆拡散処理回路のチャネル割当を説明する図である。本発明の実施の形態では、逆拡散処理回路１４Ａは、DPCCH処理専用に使用され、逆拡散処理回路１４ＢはHS-DPCCH又はE-DPCCH処理用に使用され、逆拡散処理回路１４ＣはDPCCH又はHS-DPCCH又はE-DPCCH用（すなわち全チャネル）処理用に使用される。
【００３７】
逆拡散処理回路１４Ａには、DPCCHに対応するチャネライゼイションコードのみが供給され（実際は、スクランブリングコードと多重されて供給される、以下同じ）、これにより、逆拡散処理回路１４ＡをDPCCH処理専用回路とすることができる。
【００３８】
逆拡散処理回路１４Bには、HS-DPCCHに対応するチャネライゼイションコード又はE-DPCCHに対応するチャネライゼイションコードが供給され、これにより、逆拡散処理回路１４ＢをHS-DPCCH処理回路又はE-DPCCH処理回路とすることができる。
【００３９】
逆拡散処理回路１４Cには、DPCCHに対応するチャネライゼイションコード又はHS-DPCCHに対応するチャネライゼイションコード又はE-DPCCHに対応するチャネライゼイションコードが供給され、これにより、逆拡散処理回路１４CをDPCCH処理回路又はHS-DPCCH処理回路又はE-DPCCH処理回路のいずれにもすることができる。すなわち、全制御チャネル用の逆拡散処理回路となる。
【００４０】
また、逆拡散処理部１０の処理可能リソース数がＮの場合、リソース数Ｎは制御チャネル毎の逆拡散処理回路１４Ａ、１４Ｂ及び１４Ｃに均等に割り当てられ、それぞれのリソース数はＮ／３である。
【００４１】
図５は、HSDPA単独処理時における制御チャネル割当を示す図である。HSDPA単独処理時においては、各逆拡散処理回路１４Ａ、１４Ｂ及び１４Ｃは、以下のように使用される。逆拡散処理回路１４ＡはDPCCH処理専用なので、HSDPAに必要な制御チャネルであるDPCCHを処理する。逆拡散処理回路１４Ｂは、HSDPAに必要なもう一つの制御チャネルHS-DPCCHを処理する。このとき、逆拡散処理回路１４Ａと１４Ｂには、スクランブリングコード生成回路１８から共通のスクランブリングコードが供給される。
【００４２】
一方、逆拡散処理回路１４Ｃは、DPCCHとHS-DPCCHの両方を処理するように動作する。具体的には、時分割処理される64(N/3)リソース数のうち、32(N/6)リソース数をDPCCH処理、残りの32(N/6)リソース数をHS-DPCCH処理に用いる。そのために、64リソース処理中に、チャネライゼイションコードが切り替えられる。また、このとき、逆拡散処理回路１４Cには、別のスクランブリングコード生成回路１９からスクランブリングコードが供給される。別のスクランブリングコード生成回路１９から供給されるスクランブリングコードは、スクランブリングコード生成回路１８が生成するスクランブリングコードとは別のコードである。言い換えると、スクランブリングコード生成回路１８の生成するスクランブリングコードと別のコードを生成するために、別のスクランブリングコード生成回路１９が設けられる。
【００４３】
従来では、HSDPA単独処理時において、逆拡散処理回路１４Cが用いられず、そのリソース数が無駄となっていたが、本発明の実施の形態では、逆拡散処理回路１４Cが、別のスクランブリングコード生成回路１９からスクランブリングコード生成回路１８の生成するスクランブリングコードと異なるスクランブリングコードが供給され、そのスクランブリングコードに基づいた拡散符号により、DPCCHとHS-DPCCHを逆拡散処理するように動作するので、逆拡散処理回路１４Cのリソース数が有効利用され、処理効率が向上する。
【００４４】
具体的には、従来、HSDPA処理時の処理リソース数は、逆拡散処理回路１４Ａと１４ＢによるＮ／３であったが、本発明の実施の形態では、逆拡散処理回路１４Ｃがリソース数Ｎ／３のうちの半分をDPCCH用に使用し、残りの半分をHS-DPCCH用に使用することにより、HSDPAの処理のためにさらにＮ／６リソース数が用いられることとなり、HSDPA処理時の最大処理リソース数は、以下の表２に示すように、合計でＮ／２に増大する。
【００４５】
【表２】
2008035139.tif 000004
図６は、HSUPA単独処理時における制御チャネル割当を示す図である。HSUPA単独処理時においては、上述のHSDPA単独処理時におけるHS-DPCCHをE-DPCCHとすることで、HSDPA単独処理とほぼ同様の動作となる。すなわち、HSUPA単独処理時において、逆拡散処理回路１４ＡはDPCCH処理専用なので、HSUPAに必要な制御チャネルであるDPCCHを処理する。逆拡散処理回路１４Ｂは、HSUPAに必要なもう一つの制御チャネルE-DPCCHを処理する。このとき、逆拡散処理回路１４Ａと１４Ｂには、スクランブリングコード生成回路１８から共通のスクランブリングコードが供給される。
【００４６】
一方、逆拡散処理回路１４Ｃは、DPCCHとE-DPCCHの両方を処理するように動作する。具体的には、時分割処理される64(N/3)リソース数のうち、32(N/6)リソース数をDPCCH処理、残りの32(N/6)リソース数をE-DPCCH処理に用いる。そのために、64リソース処理中に、チャネライゼイションコードが切り替えられる。また、このとき、逆拡散処理回路１４Cには、別のスクランブリングコード生成回路１９からスクランブリングコードが供給される。
【００４７】
従来では、HSUPA単独処理時において、逆拡散処理回路１４Ｂが用いられず、そのリソース数が無駄となっていたが、本発明の実施の形態では、逆拡散処理回路１４ＢがE-DPCCHを処理し、逆拡散処理回路１４Cが、別のスクランブリングコード生成回路１９からスクランブリングコード生成回路１８の生成するスクランブリングコードと異なるスクランブリングコードが供給され、そのスクランブリングコードに基づいた拡散符号により、DPCCHとE-DPCCHを処理するように動作するので、すべての逆拡散処理回路のリソース数が有効利用され、処理効率が向上する。
【００４８】
従来、HSUPA処理時の処理リソース数は、逆拡散処理回路１４Ａと１４CによるＮ／３であったが、本発明の実施の形態では、逆拡散処理回路１４Ｂのリソース数Ｎ／３をE-DPCCHに使用し、逆拡散処理回路１４Ｃがリソース数Ｎ／３のうちの半分をDPCCH用に使用し、残りの半分をHS-DPCCH用に使用することにより、HSUPAの処理のためにさらにＮ／６リソース数が用いられることとなり、上記表２に示すように、HSUPA処理時の最大処理リソース数は、合計でＮ／２に増大する。
【００４９】
図７は、HSDPA及びHSUPAの両方処理時における制御チャネル割当を示す図である。HSDPA及びHSUPAの両方を処理する場合は、従来と同様である。すなわち、逆拡散処理回路１４Bは、HSDPAのためのHS-DPCCHを処理し、逆拡散処理回路１４Cは、HSUPAのためのE-DPCCHを処理する。別のスクランブリングコード生成回路１９は、スクランブリングコード生成回路１８の生成するスクランブリングコードと同一のスクランブリングコードを生成し、逆拡散処理回路１４Cに供給する。この場合、すべての逆拡散処理回路のリソース数が利用されており、上記表２に示すように、最大処理リソース数はＮ／３のままである。
【００５０】
上記本発明の実施の形態では、W-CDMAにおけるHSDPA及びHSUPAに用いられる制御チャネルを処理する逆拡散処理回路及びそれを有する無線基地局装置について説明したが、他の通信方式における別の制御チャネルを処理する回路及び無線基地局装置に適用されてもよい。
【図面の簡単な説明】
【００５１】
【図１】無線基地局装置における従来の制御チャネルの逆拡散処理部の構成を示す図である。
【図２】従来の逆拡散処理回路におけるチャネル割当を説明する図である。
【図３】本発明の実施の形態における無線基地局装置の逆拡散処理部の構成を示す図である。
【図４】本発明の実施の形態における逆拡散処理回路のチャネル割当を説明する図である。
【図５】HSDPA単独処理時における制御チャネル割当を示す図である。
【図６】HSUPA単独処理時における制御チャネル割当を示す図である。
【図７】HSDPAとHSUPAの両方処理時における制御チャネル割当を示す図である。
【符号の説明】
【００５２】
１０：逆拡散処理部、１２：インプットバッファ、１４Ａ、１４Ｂ、１４Ｃ：逆拡散処理回路、１６Ａ、１６Ｂ、１６Ｃ：アウトプットバッファ、１８：スクランブリングコード生成回路、１９：別のスクランブリングコード生成回路
【図１】
2008035139.tif 000005
【図２】
2008035139.tif 000006
【図３】
2008035139.tif 000007
【図４】
2008035139.tif 000008
【図５】
2008035139.tif 000009
【図６】
2008035139.tif 000010
【図７】
2008035139.tif 000011